(57)【要約】【課題】防犯ブザー等種々の防犯商品が販売されているが、所持するのをつい忘れたり、カバンの奥に突っ込んでいざ必要な時にさっと取り出せない場合が多い。【解決手段】アンテナ１１のホイップ部１３の下端には雄コネクター１９が設けられ、アンテナ収納部２１の底面には雌コネクター２５が設けられ、通常は、コネクター接続されている。また、機器本体３のアンテナ収納部２１に設けられた電極板２９と、接点マイクロスイッチ３１とを含む緊急回路３５は通常は開いている。緊急時にアンテナ１１を引張ると、コネクター接続が外れ、更にアンテナ１１のホイップ部１３が機器本体３から引き抜かれて、マイクロ接点スイッチ３１のバネ接点３３が動作して電極板２９に接触する。すると、緊急回路３５が閉じて緊急信号を出力する。この信号を受信すると、制御部３７はスピーカ１０を介してアラーム音を発報する。【選択図】        図１
0003106383.tif 000002
【実用新案登録請求の範囲】
【請求項１】
携帯電話機のアンテナが機器本体から引き抜かれたことを報告する緊急報告手段と、前記緊急報告手段からの緊急情報に基づいて、携帯電話機のスピーカからアラーム音を発報するアラーム音発報手段と、前記アラーム音の誤発報を防止する誤発報防止手段とを有することを特徴とする防犯・救助要請機能付き携帯電話機。
【請求項２】
請求項１に記載した防犯・救助要請機能付き携帯電話機において、
緊急報告手段は、機器本体のアンテナ収納部に設けられた端子と、前記アンテナのホイップ部の存在により可動接点が前記端子から離れている接点スイッチとを含む緊急回路を備え、前記アンテナが前記機器本体から引き抜かれると、前記接点スイッチの可動接点が動作して前記端子に接触することにより前記緊急回路が閉じて緊急信号を発信することを特徴とする防犯・救助要請機能付き携帯電話機。
【請求項３】
請求項２に記載した防犯・救助要請機能付き携帯電話機において、誤発報防止手段は、アンテナのホイップ部の下端に設けられた雌又は雄のコネクターと、機器本体に設けられた雄又は雌のコネクターとで構成されるコネクター接続部を備え、コネクター接続により前記アンテナの不用意な引張り動作があっても前記アンテナが機器本体から引き抜かれることが防止されることを特徴とする防犯・救助要請機能付き携帯電話機。
【請求項４】
請求項１に記載した防犯・救助要請機能付き携帯電話機において、緊急報告手段は、機器本体のアンテナ収納部に設けられたアンテナの通常の移動ストロークに対応した長さを有する1組の端子と、前記アンテナに一体に形成され、前記端子どうしを導通させる導通連絡部を含む定常回路を備え、前記アンテナが前記機器本体から引き抜かれると、前記導通連絡部の欠落により前記定常回路が開いて定常信号の発信を停止することを特徴とする防犯・救助要請機能付き携帯電話機。
【請求項５】
請求項１に記載した防犯・救助要請機能付き携帯電話機において、緊急報告手段は、機器本体のアンテナ収納部内又はその近傍に設けられた近接センサーを備え、アンテナが前記機器本体から引き抜かれると、前記近接センサーが前記アンテナの欠落を検出して緊急信号を発信又は定常信号を停止することを特徴とする防犯・救助要請機能付き携帯電話機。
【請求項６】
請求項４または５に記載した防犯・救助要請機能付き携帯電話機において、誤発報防止手段は、アンテナのホイップ部及び導電性ストッパーの挿通孔を有し、機器本体内に固定された磁石リングと、前記ホイップ部の挿通孔を有し、下面が前記磁石リングの上面に吸着されている導電性リングとを備え、前記アンテナの不用意な引張り動作があっても前記導電性ストッパーが前記導電性リングに当接して前記アンテナが機器本体から引き抜かれることが防止されることを特徴とする防犯・救助要請機能付き携帯電話機。
【考案の詳細な説明】
【技術分野】
【０００１】
本考案はアンテナを利用した防犯・救助要請機能付き携帯電話機に関するものである。
【背景技術】
【０００２】
防犯ブザー等、種々の防犯商品が販売されているが、所持するのをつい忘れたり、カバンの奥に突っ込んでいざ必要な時にさっと取り出せない場合が多い。
ところで、最近では、多くの人が携帯電話機を所持するようになったことから、携帯電話機に防犯機能や救助要請機能を取り付けたものが提案されている。
例えば、特許文献１に開示された携帯電話機は、携帯紐を携帯電話機に取り付け、携帯紐を引き抜いたときにアラーム音が発報する構成になっている。
また、特許文献２に開示された携帯電話機は、暗証番号の入力によりアラーム音が発報する構成になっている。
更に、特許文献３に開示された携帯電話機は、アンテナを通常より強く引張ることでアラーム音が発報する構成になっている。
【０００３】
【特許文献１】特開２０００−１８４０２１号公報
【特許文献２】特開２００１−１７７６１１号公報
【特許文献３】特開２００３−２１８９９７号公報
【考案の開示】
【考案が解決しようとする課題】
【０００４】
しかしながら、携帯紐を携帯電話機に取り付けると、通常の使用時には邪魔になるし、美観も損なわれる。
また、暴漢に襲われる等の緊急時には、入力操作をしている余裕はない。
さらに、アンテナを引張る等の行為は通常の使用時でも不用意に行われるので、アラーム音を誤って発報させてしまう可能性が高い。
それ故、本考案は、上記課題を解決する、通常の使用時に邪魔にならず、美観も損なわれず、しかも緊急時には容易にアラーム音を発報できる一方で、誤発報が起きない構成の防犯・救助要請機能付き携帯電話機を提供することを目的とする。
【課題を解決するための手段】
【０００５】
上記課題を解決するために、請求項１の考案は、携帯電話機のアンテナが機器本体から引き抜かれたことを報告する緊急報告手段と、前記緊急報告手段からの緊急情報に基づいて、携帯電話機のスピーカからアラーム音を発報するアラーム音発報手段と、前記アラーム音の誤発報を防止する誤発報防止手段とを有することを特徴とする防犯・救助要請機能付き携帯電話機である。
【０００６】
請求項２の考案は、請求項１に記載した防犯・救助要請機能付き携帯電話機において、緊急報告手段は、機器本体のアンテナ収納部に設けられた端子と、前記アンテナのホイップ部の存在により可動接点が前記端子から離れている接点スイッチとを含む緊急回路を備え、前記アンテナが前記機器本体から引き抜かれると、前記接点スイッチの可動接点が動作して前記端子に接触することにより前記緊急回路が閉じて緊急信号を発信することを特徴とする防犯・救助要請機能付き携帯電話機である。
【０００７】
請求項３の考案は、請求項２に記載した防犯・救助要請機能付き携帯電話機において、誤発報防止手段は、アンテナのホイップ部の下端に設けられた雌又は雄のコネクターと、機器本体に設けられた雄又は雌のコネクターとで構成されるコネクター接続部を備え、コネクター接続により前記アンテナの不用意な引張り動作があっても前記アンテナが機器本体から引き抜かれることが防止されることを特徴とする防犯・救助要請機能付き携帯電話機である。
【０００８】
請求項４の考案は、請求項１に記載した防犯・救助要請機能付き携帯電話機において、緊急報告手段は、機器本体のアンテナ収納部に設けられたアンテナの通常の移動ストロークに対応した長さを有する1組の端子と、前記アンテナに一体に形成され、前記端子どうしを導通させる導通連絡部を含む定常回路を備え、前記アンテナが前記機器本体から引き抜かれると、前記導通連絡部の欠落により前記定常回路が開いて定常信号の発信を停止することを特徴とする防犯・救助要請機能付き携帯電話機である。
【０００９】
請求項５の考案は、請求項１に記載した防犯・救助要請機能付き携帯電話機において、緊急報告手段は、機器本体のアンテナ収納部内又はその近傍に設けられた近接センサーを備え、アンテナが前記機器本体から引き抜かれると、前記近接センサーが前記アンテナの欠落を検出して緊急信号を発信又は定常信号を停止することを特徴とする防犯・救助要請機能付き携帯電話機である。
【００１０】
請求項６の考案は、請求項４または５に記載した防犯・救助要請機能付き携帯電話機において、誤発報防止手段は、アンテナのホイップ部及び導電性ストッパーの挿通孔を有し、機器本体内に固定された磁石リングと、前記ホイップ部の挿通孔を有し、下面が前記磁石リングの上面に吸着されている導電性リングとを備え、前記アンテナの不用意な引張り動作があっても前記導電性ストッパーが前記導電性リングに当接して前記アンテナが機器本体から引き抜かれることが防止されることを特徴とする防犯・救助要請機能付き携帯電話機である。
【考案の効果】
【００１１】
本考案の防犯・救助要請機能付き携帯電話機を使用すれば、緊急時に容易にアラーム音を発報させることができ、しかも、誤発報が起きない。
また、携帯電話機に元々設けられているアンテナを利用しているので、防犯・救助要請機能を付けても、携帯電話機の外観は変わらない。
【考案を実施するための最良の形態】
【００１２】
本考案の第1の実施の形態に係る防犯・救助要請機能付き携帯電話機１を、図１から図３に従って説明する。
図１は携帯電話機１の外観図と内部構造図と電気構成図を示す。この携帯電話機１の機器本体３には、表示部（液晶ディスプレイ）５、操作部（入力キー）７、スピーカ９、バッテリー１０が設けられている。なお、操作部７には携帯電話機１のＯＮ（起動）キーが設けられている。
さらに、符号１１は送受信用のアンテナを示し、このアンテナ１１のホイップ部１３の頭部１５側には、その他の部分より大径の大径部１７が形成されている。大径部１７は、導電性材料により構成されている。
ホイップ部１３の基端部側に球状で、ホイップ部１３より大径の雄コネクター１９が取り付けられている。
【００１３】
符号２１はアンテナ収納部を示し、このアンテナ収納部２１は携帯電話機１の機器本体３内で長手方向に延びる空間を占めている。アンテナ収納部２１の側面は絶縁性材料で構成された透明ビニール筒２３によって画定されている。
アンテナ収納部２１の底面は、雄コネクター１９に対応した形状の雌コネクター２５によって画定されている。この雌コネクター２５と上記した雄コネクター１９とによってコネクター接続部が構成されている。
【００１４】
符号２７は導電性リングとしての鉄製リングを示し、この鉄製リング２７にはアンテナ１１の挿通孔２８が形成されている。ホイップ部１３は挿通孔２８をスムーズに通り抜けられるが、雄コネクター１９は挿通孔２８より大径のため通り抜けられない。鉄製リング２７は図示しないアンテナ電源に接続されている。
この携帯電話機１は、アンテナ１１の大部分はアンテナ収納部２１に収納され、頭部１５が機器本体３から突出した状態になっており、送受信中でもアンテナ１１は引っ張り出さないで使用される。即ち、アンテナ１１がアンテナ収納部２１に収納され、コネクター接続されている状態では、アンテナ１１の大径部１７の下面が鉄製リング２７の上面に接触しているので、アンテナ１１に給電されて、携帯電話機１の送受信、即ち電話機としての使用が可能になっている。
なお、鉄製リング２７は機器本体３に固定されている。
【００１５】
符号２９は端子としての帯状の電極板を示し、この電極板２９は透明ビニール筒２３の内面に沿って長手方向に延びている。
符号３１はマイクロ接点スイッチを示し、このマイクロ接点スイッチ３１は透明ビニール筒２３の内面側の上方に配置されている。マイクロ接点スイッチ３１はアンテナ１１のホイップ部１３を挟んで電極板２９と対向配置されている。
図１（通常時）に示すように、通常時は、マイクロ接点スイッチ３１のバネ接点３３は、アンテナ収納部２１に収納されているアンテナ１１のホイップ部１３に当って、結果として、電極板２９から離れた位置に付勢されている。
緊急回路３５は、電極板２９とマイクロ接点スイッチ３１とを含み、リード線３２で接続された構成になっており、通常時は、マイクロ接点スイッチ３１のバネ接点３３が電極板２９に接触していないときは、即ちスイッチＯＦＦのときは開いている。
【００１６】
図２（発報時）に示すように、緊急時は、アンテナ１１が機器本体３から引き抜かれるので、アンテナ収納部２１からホイップ部１３が欠落する。従って、マイクロ接点スイッチ３１のバネ接点３３が電極板２９に接触して、即ちスイッチＯＮとなって緊急回路３５が閉じる。
回路が閉じると、緊急回路３５が緊急信号を出力し、この緊急信号は携帯電話機１の機器本体３内に設けられた制御部（ＣＰＵ）３７が受信すると、制御部３７がスピーカ９（増幅回路有り）を介して所定の音量のアラーム音を発報する。
なお、制御部３７とスピーカ９は送受信用に携帯電話機１に電話機能用に内臓されたものがそのまま利用される。
【００１７】
以下に、図３の携帯電話機の使用手順のフローチャートに従って、防犯・救助要請機能付き携帯電話機１の使用方法について説明する。
携帯電話機１は、操作部７のいずれかのＯＮ（起動）キーを押してＯＮにすると、電話機モードと、防犯・救助要請モードのいずれかの選択が可能となり、（ステップＳ１）、通常は、図１（通常時）に示すように、電話機として送受信用に使用する（ステップＳ２）。
暴漢に襲われそうになったり、怪我をしたりしたときに、即ち防犯・救助要請時に、図２（発報時）に示すように、頭部１５を手で掴みアンテナ１１を強く引っ張ると、雄コネクター１９が雌コネクター２５から外れ、その上面が鉄製リング２７の下面に当り、更に、鉄製リング２７を押し上げて、鉄製リング２７に挿通された状態で、アンテナ１１が機器本体３から引き抜かれる（ステップＳ３）。
すると、緊急回路３５が閉じて、スピーカ９からアラーム音が発報される（ステップＳ４）。
【００１８】
アラーム音の発報が開始した後に、自発的に発報を停止したい場合には（ステップＳ５）、携帯電話機１の機器本体３からバッテリー１０を取り外す（ステップＳ６）。
上記自発的動作をしない場合には、引続きアラーム音が発報する（ステップＳ７）。発報は、バッテリー１０が切れるまで続く（ステップＳ８）。
【００１９】
この携帯電話機１では、コネクター部で構成された誤発報防止手段が設けられているので、カバン等に引っ掛けて不用意にアンテナ１１を引っ張っても機器本体３から引き抜かれることはない。
また、アンテナ１１を引き抜いた後は、鉄製リング２７も共に引き抜かれ、また、マイクロ接点スイッチ３１のバネ接点３３が邪魔になってアンテナ１１をアンテナ収納部２１には戻せない。即ち、電話機能は破壊され、復元できないことになる。従って、ふざけてアラーム音を発報させるような行為は防げる。
更に、携帯電話機１の外観は、防犯・救助要請機能を付けても変わらない。
【００２０】
本考案の第２の実施の形態に係る防犯・救助要請機能付き携帯電話機４１を説明する。但し、第1の実施の形態に係る携帯電話機１と共通する構成部分は、同じ符号を付すことで説明を省略する。
この携帯電話機４１の外観は、携帯電話機１の外観と同じである。従って、図４（通常時）と図５（発報時）で、内部構造図と電気構成図を示して説明する。
符号４３は導電性材料で構成された導電性ストッパーを示し、この導電性ストッパー４３はアンテナ１１のホイップ部１３の基端部側に取り付けられている。導電性ストッパー４３の径はホイップ部１３の径より大きい。
【００２１】
符号４５は1組の端子としての電極板を示し、各電極板４５は電極板２９と同じ形状をしている。1組の電極板４５は透明ビニール筒２３の内面に沿って延びており、アンテナ１１のホイップ部１３を挟んで互いに対向配置されている。
符号４７は磁石リングを示し、この磁石リング４７の上面は鉄製リング２７の下面に接触している。また、磁石リング４７は機器本体３に固定されている。
鉄製リング２７と磁石リング４７との間には磁力により吸引力が発生しており、この実施の形態では、鉄製リング２７は磁石リング４７に吸着されることで機器本体３内に固定されている。
この磁石リング４７にもアンテナ１１の挿通孔４９が形成されているが、この挿通孔４９の径は鉄製リング２７の挿通孔２８の径より大きく設定されており、アンテナ１１のホイップ部１３と導電性ストッパー４３はスムーズに通れる。
【００２２】
導電性ストッパー４３の径はアンテナ１１のホイップ部１３の径より大きく、導電性ストッパー４３がアンテナ収納部２１内の電極板４５の間にあるときは、電極板４５どうしを導通させる導通連絡部として機能する。
なお、アンテナ１１の収納時に導電性ストッパー４３はアンテナ収納部２１内で最も下方の位置にあり、引き出し時に導電性ストッパー４３は最も上方の位置にあるが、電極板４５はその上下間の移動ストロークに対応した長さを有しており、通常の使用時には常に導通連絡部として機能する。
定常回路５１は電極板４５と導電性ストッパー４３とを含んだ構成になっており、閉じると定常信号を出力する。この定常信号を受信しないと、制御部３７がスピーカ９（増幅回路有り）を介して所定の音量のアラーム音を発報する。
【００２３】
この携帯電話機４１は、アンテナ１１がアンテナ収納部２１に収納されたときは、アンテナ１１の大径部１７の下面が鉄製リング２７の上面に接触しており、一方、アンテナ１１が機器本体３から引き出されたときは、導電性ストッパー４３の上面が鉄製リング２７の下面に接触しているので、いずれの状態でも鉄製リング２７を介してアンテナ１１に給電されて、送受信、即ち電話機としての使用が可能になっている。
【００２４】
図４（通常時）に示すように、通常時は、導電性ストッパー４３が電極板４５の間に位置して、電極板４５どうしを導通させるので、定常回路５１が定常信号を出力する。
一方、図５（発報時）に示すように、緊急時は、アンテナ１１が機器本体３から引き抜かれるので、アンテナ収納部２１から導電性ストッパー４３が欠落する。従って、定常回路５１が開いて定常信号の出力が停止する。定常信号を受信できないので、制御部（ＣＰＵ）３７は、スピーカ９（増幅回路有り）を介して所定の音量のアラーム音を発報する。
【００２５】
防犯・救助要請機能付き携帯電話機４１も、図３の携帯電話機の使用手順のフローチャートに従って使用できる。
防犯・救助要請時に、図５（発報時）に示すように、頭部１５を掴みアンテナ１１を強く引っ張ると、導電性ストッパー４３の上面が鉄製リング２７の下面に当り、更に、鉄製リング２７を押し上げて磁石リング４７から引き離し、最終的に、導電性ストッパー４３が機器本体３から引き抜かれる（ステップＳ３）。すると、定常回路５１が開いて、スピーカ９がアラーム音を発報する（ステップＳ４）。
【００２６】
本考案の第３の実施の形態に係る防犯・救助要請機能付き携帯電話機５３を説明する。但し、第２の実施の形態に係る携帯電話機４１と共通する構成部分は、同じ符号を付すことで説明を省略する。
この携帯電話機５３の外観は、携帯電話機１の外観と同じである。従って、図６（通常時）と図７（発報時）で、内部構造図と電気構成図を示して説明する。
符号５５は誘電形近接マイクロセンサー（検出部）を示し、この誘電形近接マイクロセンサー５５は公知の非接触センサーである。誘電形近接マイクロセンサー５５の最長検出可能距離はアンテナ３の通常の引き出し位置に設定されている。
【００２７】
符号５７は定常回路を示し、この定常回路５７は誘電形近接マイクロセンサー５５と、図示しない発振回路、発振状態検出回路および出力回路を含んだ構成になっており、発振が停止しているときは定常回路５７内の出力回路が定常信号を出力する。
図７（発報時）に示すように、緊急時は、アンテナ１１が機器本体３から引き抜かれるので、アンテナ収納部２１から導電性ストッパー４３が欠落する。従って、発振回路が発振状態となるので、定常回路５７内の出力回路は定常信号の出力を停止する。
制御部（ＣＰＵ）３７ではこの定常信号を受信できないので、スピーカ９（増幅回路有り）を介して所定の音量のアラーム音を発報する。
【００２８】
携帯電話機５３も、携帯電話機４１と同様に、図３の携帯電話機の使用手順のフローチャートに従って使用できる。
【００２９】
本考案の第４の実施の形態に係る防犯・救助要請機能付き携帯電話機５９を説明する。但し、第３の実施の形態に係る携帯電話機５３と共通する構成部分は、同じ符号を付すことで説明を省略する。
この携帯電話機５９の外観は、携帯電話機１の外観と同じである。従って、図８（通常時）と図９（発報時）で、内部構造図と電気構成図を示して説明する。
符号６１は光電形近接マイクロセンサー（検出部）の投光部を示し、符号６３は受光部を示す。この光電形近接マイクロセンサーは公知の非接触センサーである。光電形近接マイクロセンサーの投光器６１と受光器６３は、アンテナ収納部２１の上方側面に対向配置されており、投光器６１から出た光は一直線に受光器６３に入射する。
【００３０】
符号６５は定常回路を示し、この定常回路６５は近接マイクロセンサーの受光器６３の光量状態検出回路および出力回路を含んだ構成になっており、アンテナ１１が通常の収納位置または引き出し位置にあるときは、ホイップ部１３が存在することにより、受光器６３に入射する光量が減少している。このときは、定常回路６５内の出力回路から定常信号を出力する。
図９（発報時）に示すように、緊急時に、アンテナ１１が機器本体３から引き抜かれると、ホイップ部１３が存在しなくなり、受光器６３に入射する光量が増大する。このときは、定常回路６５内の出力回路は定常信号の出力を停止する。
【００３１】
携帯電話機５９も、携帯電話機５３と同様に、図３の携帯電話機の使用手順のフローチャートに従って使用できる。
【００３２】
以上、本考案の実施の形態について説明したが、本考案の具体的構成がこの実施の形態に限定されるものでは無く、本考案の要旨から外れない範囲での設計変更等があっても本考案に含まれる。
例えば、第３と第４の実施の形態では、検出形態として、通常時に信号を出力する定常回路に限定されず、発報時に信号を出力する緊急回路を採用してもよい。
【産業上の利用可能性】
【００３３】
本考案の防犯・救助要請機能付き携帯電話機は、市販の携帯電話機の内部を改造するだけで簡単に製造でき、外観は通常のものと何ら変わりはない。従って、所持するのに全く抵抗はなく、しかも、緊急時には容易にアラーム音を発報できるが、その一方で、誤発報は起きない。
従って、今まで護身用具を所持するのを面倒臭がっていた人にも、手軽に所持してもらえると考える。
【図面の簡単な説明】
【００３４】
【図１】第1の実施の形態に係る携帯電話機の通常時の説明図である。
【図２】図１の携帯電話機の発報時の説明図である。
【図３】図１の携帯電話機の使用方法を説明するフローチャートである。
【図４】第２の実施の形態に係る携帯電話機の通常時の説明図である。
【図５】図４の携帯電話機の発報時の説明図である。
【図６】第３の実施の形態に係る携帯電話機の通常時の説明図である。
【図７】図６の携帯電話機の発報時の説明図である。
【図８】第４の実施の形態に係る携帯電話機の通常時の説明図である。
【図９】図８の携帯電話機の発報時の説明図である。
【符号の説明】
【００３５】
１    防犯・救助要請機能付き携帯電話機
３    機器本体                      １１    アンテナ
１３    ホイップ部                    １９    雄コネクター
２５    雌コネクター                  ２９    電極板
３１    マイクロ接点スイッチ          ３５    緊急回路
４１    防犯・救助要請機能付き携帯電話機
４３    導電性ストッパー              ４５    電極板
４７    磁石リング                    ５１    定常回路
５３    防犯・救助要請機能付き携帯電話機
５５    誘電形近接マイクロセンサー    ５７    定常回路
５９    防犯・救助要請機能付き携帯電話機
６１    投光器                        ６３    受光器
６５    定常回路
【図１】
0003106383.tif 000003
【図２】
0003106383.tif 000004
【図３】
0003106383.tif 000005
【図４】
0003106383.tif 000006
【図５】
0003106383.tif 000007
【図６】
0003106383.tif 000008
【図７】
0003106383.tif 000009
【図８】
0003106383.tif 000010
【図９】
0003106383.tif 000011